(57)【要約】【課題】鍋を誘導加熱により加熱する炊飯器において、炊飯器の外形を大きくすることなく、また鍋外周部と鍋内周部の加熱効率を下げずに、安価で効果的に鍋を加熱する加熱コイルから発生する低周波領域の漏洩磁界を低減する。【解決手段】底外加熱コイル４と底内加熱コイル５とに底インバータ回路により高周波電流を供給し、炊飯器本体１内に収納した鍋２の底外周を底外加熱コイル４により加熱し、鍋２の底内周を底内加熱コイル５により加熱する。底外加熱コイル４を底内加熱コイル５より高い位置に配置し、底外加熱コイル４の内周部と底内加熱コイル５の外周部の距離を底外加熱コイル４と鍋２の距離または底内加熱コイル５と鍋２の距離より離し、底外加熱コイル４と底内加熱コイル５とを直列に接続し、かつ底外加熱コイル４に流れる高周波電流と底内加熱コイル５に流れる高周波電流の流れる方向が逆向きになるように接続する。【選択図】図１
2007289306.tif 000002
【特許請求の範囲】
【請求項１】
炊飯器本体と、前記炊飯器本体の内部に収納され米と水を入れる鍋と、前記鍋の底外周を加熱する底外加熱コイルと、前記鍋の底内周を加熱する底内加熱コイルと、前記底外加熱コイルと前記底内加熱コイルとに高周波電流を供給するインバータ回路とを備え、前記底外加熱コイルを前記底内加熱コイルより高い位置に配置し、前記底外加熱コイルの内周部と前記底内加熱コイルの外周部の距離を前記底外加熱コイルと前記鍋の距離または前記底内加熱コイルと前記鍋の距離より離し、前記底外加熱コイルと前記底内加熱コイルとを直列に接続し、かつ前記底外加熱コイルに流れる高周波電流と前記底内加熱コイルに流れる高周波電流の流れる方向が逆向きになるように接続した炊飯器。
【請求項２】
炊飯器本体と、前記炊飯器本体の内部に収納され米と水を入れる鍋と、前記鍋の底外周を加熱する底外加熱コイルと、前記鍋の底内周を加熱する底内加熱コイルと、前記底外加熱コイルと前記底内加熱コイルとに高周波電流を供給するインバータ回路とを備え、前記底外加熱コイルを前記底内加熱コイルより高い位置に配置し、前記底外加熱コイルの内周部と前記底内加熱コイルの外周部の距離を前記底外加熱コイルと前記鍋の距離または前記底内加熱コイルと前記鍋の距離より離し、前記底外加熱コイルと前記底内加熱コイルとを並列に接続し、かつ前記底外加熱コイルに流れる高周波電流と前記底内加熱コイルに流れる高周波電流の流れる方向が逆向きになるように接続した炊飯器。
【請求項３】
底外加熱コイルに放射状に配置した複数の第一の磁性体群と、底内加熱コイルに放射状に配置した複数の第二の磁性体群とを備え、前記第一の磁性体群と第二の磁性体群は、その端部が互いに対向するように配置した請求項１または２記載の炊飯器。
【請求項４】
底外加熱コイルに放射状に配置した複数の第一の磁性体群と、底内加熱コイルに放射状に配置した複数の第二の磁性体群とを備え、前記第一の磁性体群と第二の磁性体群は、その端部が対向しないように配置した請求項１または２記載の炊飯器。
【請求項５】
底外加熱コイルの巻数は底内加熱コイルの巻数より少なくした請求項１〜４のいずれか１項に記載の炊飯器。
【請求項６】
底外加熱コイルの低周波のインダクタンス値と底内加熱コイルの低周波のインダクタンス値とを略同じとした請求項１〜５のいずれか１項に記載の炊飯器。
【発明の詳細な説明】
【技術分野】
【０００１】
本発明は、鍋を誘導加熱により加熱する炊飯器に関するものである。
【背景技術】
【０００２】
従来から炊飯器は、鍋を加熱するために加熱コイルに高周波電流を流して、高周波磁界を発生させ、この高周波磁界で鍋の表面に渦電流を発生させていた。しかし、この磁界のエネルギーの一部は外部に漏れる漏洩磁界となり、この漏洩磁界が人体には好ましくない影響を与えることを懸念する報告がされており、社会的にその関心が高まっている。
【０００３】
この漏洩磁界のなかでも低周波領域の漏洩磁界を効果的に低減するものとして、加熱コイルを渦巻状に巻かれた加熱用コイル部と、このコイルの外周側で直列に接続されかつこのコイルと逆向きに巻かれ、逆向きの電流を流す漏洩磁界キャンセル用コイル部とで構成することにより、外部へ漏洩する磁界を低減するものが提案されている（例えば、特許文献１参照）。
【特許文献１】特開平１０−３３５０５７号公報
【発明の開示】
【発明が解決しようとする課題】
【０００４】
しかしながら、上記従来の構成では、底外加熱コイルと底内加熱コイルから発生する漏洩磁界を低減するために、逆向きの電流を流す漏洩磁界キャンセル用コイルを備える必要があった。
【０００５】
このとき、加熱用コイル部と漏洩磁界キャンセル用コイルとの距離が近接しすぎると、それぞれのコイルから発生する磁界が逆向きになるため、鍋を加熱する磁界を互いに打ち消しあってしまう。従って、漏洩磁界キャンセル用コイル部は、鍋の加熱には寄与せず、逆に加熱効率を低下させるものとなる。
【０００６】
また、鍋を加熱する磁界を打ち消さないように漏洩磁界キャンセル用コイルを配置するには、それぞれの加熱コイル部からある程度の距離を確保する必要があり、炊飯器の外形が大きくなるという問題を有していた。
【０００７】
本発明は上記従来の課題を解決するもので、炊飯器の外形を大きくすることなく、また鍋外周部と鍋内周部の加熱効率を下げずに、安価で効果的に鍋を加熱する加熱コイルから発生する低周波領域の漏洩磁界を低減することを目的としている。
【課題を解決するための手段】
【０００８】
本発明は上記目的を達成するために、炊飯器本体の内部に米と水を入れる鍋を収納し、鍋の底外周を底外加熱コイルにより加熱するとともに、鍋の底内周を底内加熱コイルにより加熱し、底外加熱コイルと底内加熱コイルとにインバータ回路により高周波電流を供給するよう構成し、底外加熱コイルを底内加熱コイルより高い位置に配置し、底外加熱コイルの内周部と底内加熱コイルの外周部の距離を底外加熱コイルと鍋の距離または底内加熱コイルと鍋の距離より離し、底外加熱コイルと底内加熱コイルとを直列に接続し、かつ底外加熱コイルに流れる高周波電流と底内加熱コイルに流れる高周波電流の流れる方向が逆向きになるように接続したものである。
【０００９】
これにより、隣接する加熱コイルから発生する低周波漏洩磁界が逆向きになっているため、互いに低周波漏洩磁界を打ち消しあうようになる。また、底外加熱コイルの高さと底内加熱コイルの高さが異なることと、二つの加熱コイルと鍋の距離の方が二つの加熱コイル間の距離よりも近いので、加熱コイル同士で互いの高周波磁界を打ち消す前に鍋に高周波磁界をかけることができるので、加熱効率を下げずに済む。
【発明の効果】
【００１０】
本発明の炊飯器は、底外加熱コイルと底内加熱コイルがそれぞれ互いの低周波漏洩磁界を打ち消しあうので、新たな漏洩磁界キャンセル用のコイルを必要とせず、外形を大きくすることなく、また鍋外周部と鍋内周部の加熱効率を下げずに、低周波漏洩磁界を低減することができる。
【発明を実施するための最良の形態】
【００１１】
第１の発明は、炊飯器本体と、前記炊飯器本体の内部に収納され米と水を入れる鍋と、前記鍋の底外周を加熱する底外加熱コイルと、前記鍋の底内周を加熱する底内加熱コイルと、前記底外加熱コイルと前記底内加熱コイルとに高周波電流を供給するインバータ回路とを備え、前記底外加熱コイルを前記底内加熱コイルより高い位置に配置し、前記底外加熱コイルの内周部と前記底内加熱コイルの外周部の距離を前記底外加熱コイルと前記鍋の距離または前記底内加熱コイルと前記鍋の距離より離し、前記底外加熱コイルと前記底内加熱コイルとを直列に接続し、かつ前記底外加熱コイルに流れる高周波電流と前記底内加熱コイルに流れる高周波電流の流れる方向が逆向きになるように接続したものであり、底外加熱コイルと底内加熱コイルから発生する低周波漏洩磁界が逆向きになっているため、それぞれ互いの低周波漏洩磁界を打ち消し合うことができ、漏洩磁界キャンセル用のコイルを必要としない。また、底外加熱コイルと底加熱コイルの高さをずらし、底外加熱コイルと底内加熱コイルとの距離よりも鍋と底外加熱コイルおよび鍋と底内加熱コイルの距離を近づけることで、底外加熱コイルと底内加熱コイルの高周波磁界が打ち消しあう前に鍋に高周波磁界を供給できる。したがって、外形を大きくせず、加熱効率を低くすることなく、低周波漏洩磁界を低減することができる。
【００１２】
第２の発明は、炊飯器本体と、前記炊飯器本体の内部に収納され米と水を入れる鍋と、前記鍋の底外周を加熱する底外加熱コイルと、前記鍋の底内周を加熱する底内加熱コイルと、前記底外加熱コイルと前記底内加熱コイルとに高周波電流を供給するインバータ回路とを備え、前記底外加熱コイルを前記底内加熱コイルより高い位置に配置し、前記底外加熱コイルの内周部と前記底内加熱コイルの外周部の距離を前記底外加熱コイルと前記鍋の距離または前記底内加熱コイルと前記鍋の距離より離し、前記底外加熱コイルと前記底内加熱コイルとを並列に接続し、かつ前記底外加熱コイルに流れる高周波電流と前記底内加熱コイルに流れる高周波電流の流れる方向が逆向きになるように接続したものであり、底外加熱コイルと底内加熱コイルから発生する低周波漏洩磁界が逆向きになっているため、それぞれ互いの低周波漏洩磁界を打ち消し合うことができ、漏洩磁界キャンセル用のコイルを必要としない。また、底外加熱コイルと底加熱コイルの高さをずらし、底外加熱コイルと底内加熱コイルとの距離よりも鍋と底外加熱コイルおよび鍋と底内加熱コイルの距離を近づけることで、底外加熱コイルと底内加熱コイルの高周波磁界が打ち消しあう前に鍋に高周波磁界を供給できる。また、底外加熱コイルと底内加熱コイルを並列接続することで、各加熱コイルに流れる電流を抑えることができ、加熱コイルの損失を低くすることができる。したがって、外形を大きくせず、加熱効率を高め、低周波漏洩磁界を低減することができる。
【００１３】
第３の発明は、上記第１または第２の発明において、底外加熱コイルに放射状に配置した複数の第一の磁性体群と、底内加熱コイルに放射状に配置した複数の第二の磁性体群とを備え、前記第一の磁性体群と第二の磁性体群は、その端部が互いに対向するように配置したものであり、各加熱コイルから発生する高周波磁界が他方の加熱コイルに漏洩するのを磁性体で抑えることができるとともに、磁性体の端部に磁束が集中するので、高温のポイントを増やすことができ、炊飯に必要な対流を細かくすることができる。
【００１４】
第４の発明は、上記第１または第２の発明において、底外加熱コイルに放射状に配置した複数の第一の磁性体群と、底内加熱コイルに放射状に配置した複数の第二の磁性体群とを備え、前記第一の磁性体群と第二の磁性体群は、その端部が対向しないように配置したものであり、各加熱コイルから発生する高周波磁界が他方の加熱コイルに漏洩するのを磁性体で抑えることができるとともに、磁性体の端部に磁束が集中するので、高温となるポイントを増やすことができ、炊飯に必要な対流を細かくすることができる。
【００１５】
第５の発明は、上記第１〜４のいずれか１つの発明において、底外加熱コイルの巻数は底内加熱コイルの巻数より少なくしたものであり、人体に暴露しにくい底内加熱コイルよりも人体に暴露しやすい底外加熱コイルからの高周波漏洩磁界を小さくし、かつ低周波の漏洩磁界も抑えることができる。
【００１６】
第６の発明は、上記第１〜５のいずれか１つの発明において、底外加熱コイルの低周波のインダクタンス値と底内加熱コイルの低周波のインダクタンス値とを略同じとしたものであり、漏洩する低周波漏洩磁界を略ゼロにすることができる。
【００１７】
以下、本発明の実施の形態について、図面を参照しながら説明する。なお、本実施の形態によって本発明が限定されるものではない。
【００１８】
（実施の形態１）
図１は、本発明の実施の形態１における炊飯器の断面図を示し、図２は、同炊飯器の一部ブロック化した要部回路図を示すものである。
【００１９】
図１に示すように、炊飯器本体１は、内部に米と水を入れる鍋２を着脱自在に収納可能な鍋収納部３を設け、その鍋収納部３の外側には鍋２の側面部に対向するように渦巻状に巻かれた底外加熱コイル４を配置し、鍋２の底面部に対向するように渦巻状に巻かれた底内加熱コイル５を配置しており、底外加熱コイル４と底内加熱コイル５から発生する磁界により鍋２の底部分を誘導加熱するようにしている。炊飯器本体１の上部（コイルの開口部方向）から見た場合、底外加熱コイル４の巻き中心部と底内加熱コイル５の巻き中心部は略同一に配置している。なお、底外加熱コイル４と底内加熱コイル５は、図２に示すように、直列に接続している。
【００２０】
底外加熱コイル４の外側には第一の磁性体群を構成するフェライト６を配置し、底内加熱コイル５の外側には第二の磁性体群を構成するフェライト７を配置し、それぞれのコイルから漏れる漏れ磁界を抑えるとともに、フェライト６およびフェライト７の端部に磁束を集中させるようにしている。
【００２１】
図５は、底外加熱コイル４と底内加熱コイル５とフェライト６、７の位置関係を炊飯器下部から示したものである。図５に示すように、フェライト６は４つを底外加熱コイル４に放射状に配置し、フェライト７は４つを底内加熱コイル５に放射状に配置し、これらフェライト６の端部とフェライト７の端部は互いに対向するように配置している。
【００２２】
炊飯器本体１の上面開口部には、鍋２を着脱可能なように開閉自在な外蓋８を備えている。炊飯器本体１の下方部には、図２に示すように、底外加熱コイル４と底内加熱コイル５に高周波電流を供給する底インバータ回路（インバータ回路）２４を搭載する加熱基板９を配置している。さらに、外蓋８の内部には、底インバータ回路２４を制御する制御回路２５や炊飯器を操作する操作キーを搭載している制御基板１０を配置している。
【００２３】
また、図１に示すように、底外加熱コイル４を底内加熱コイル５より高い位置に配置し、底外加熱コイル４の内周部と底内加熱コイル５の外周部の距離Ａを底外加熱コイル４と鍋２の距離Ｂ、または底内加熱コイル５と鍋２の距離Ｃより離している。
【００２４】
また、図２に示すように、炊飯器本体１を商用電源２１に接続すると、加熱基板１０上に搭載した全波整流器２２とコンデンサ２３を介して底インバータ回路２４に直流電源が供給される。この底インバータ回路２４に底外加熱コイル４と底内加熱コイル５の直列回路を接続し、底インバータ回路２４は底外加熱コイル４と底内加熱コイル５に高周波電流ＩＬ１を供給する。
【００２５】
ここで、底外加熱コイル４と底内加熱コイル５は、炊飯器本体１を上部から見たときに巻かれている方向を表示している。すなわち、底外加熱コイル４は、高周波電流ＩＬ１が右回りに流れるように巻かれている。また、底内加熱コイル５には高周波電流ＩＬ１が左回りに流れるように巻かれている。また、底外加熱コイル４の巻数は底内加熱コイル５の巻数より少なくし、底外加熱コイル４の低周波のインダクタンス値と底内加熱コイル５の低周波のインダクタンス値とを略同じとしている。
【００２６】
制御基板１０に搭載された制御回路２４は、加熱基板９上の底インバータ回路２４の通電状態や発振周波数を制御する。
【００２７】
図３は、主要部の波形を示すものであり、図３（ａ）は商用電源２１の電圧波形、図３（ｂ）は底インバータ回路２４動作時のコンデンサ２３の両端電圧の波形、図３（ｃ）は高周波電流ＩＬ１の包絡線波形である。本実施の形態では、コンデンサ２３の容量は小さく高周波成分を平滑するだけである。したがって、底インバータ回路２４に供給される電源は、商用電源２１の約２倍の周波数を有することになり、底外加熱コイル４と底内加熱コイル５に流れる高周波電流ＩＬ１は、商用電源２１の約２倍の周波数成分も持つことになり、底外加熱コイル４と底内加熱コイル５の商用電源２１の約２倍の周波数の磁界が発生する。この磁界は低周波のため鍋２の加熱に寄与せず、漏洩磁界となる。
【００２８】
図４は、鍋２を加熱コイルの上に置いたときのインダクタンス値、抵抗値の周波数特性である。曲線（ａ）はインダクタンス値を示し、曲線（ｂ）は抵抗値を示している。図４に示すように、周波数が高くなるほど、インダクタンス値は減少し、抵抗値が増加する。つまり、高周波磁界は鍋２を加熱することができるが、低周波磁界は鍋２を加熱できず、漏洩磁界となることを示している。
【００２９】
上記構成において動作、作用を説明する。鍋２を炊飯器本体１の所定の位置にセットして操作キーを操作すると、制御回路２５は予め設定されている炊飯シーケンスに基づいて鍋２を加熱するように底インバータ回路２４の動作を制御する。
【００３０】
制御回路２５は鍋２を加熱制御する際、底インバータ回路２４に駆動信号を送り、底インバータ回路２４が高周波電流ＩＬ１を底外加熱コイル４と底内加熱コイル５に供給する。このとき、高周波電流ＩＬ１は底外加熱コイル４では炊飯器本体１の上部から見て右回りに流れ、底内加熱コイル５では炊飯器本体１の上部から見て左回りに流れる。
【００３１】
すなわち、底外加熱コイル４と底内加熱コイル５には同一電流が逆向きに流れていることになり、底外加熱コイル４で発生する磁界と底内加熱コイル５で発生する磁界は逆方向になるので、互いに発生する磁界を打ち消しあって炊飯器本体１の外部に漏洩する漏洩磁界を低減することができる。
【００３２】
このとき、底外加熱コイル４の高周波磁界と底内加熱コイル５の高周波磁界が互いに打ち消す前に、鍋２に高周波磁界を供給するように、底外加熱コイル４の内周部と底内加熱コイル５の外周部の距離Ａを底外加熱コイル４と鍋２の距離Ｂ、または底内加熱コイル５と鍋２の距離Ｃより離している。さらに、底外加熱コイル４を底内加熱コイル５より高い位置にすることで、互いの高周波磁界の経路をずらしているので、鍋２に高周波磁界が効率的に供給される。
【００３３】
また、図５に示すように、底外加熱コイル４の外側にフェライト６を配置し、底内加熱コイル５の外側にフェライト７を配置することで、底外加熱コイル４の磁束はフェライト６を経由することになり、底内加熱コイル５へ磁界が漏れるのを抑えることができる。また、底内加熱コイル５の磁束はフェライト７を経由することになり、底外加熱コイル６へ磁界が漏れるのを抑えることができる。
【００３４】
したがって、底外加熱コイル４と底内加熱コイル５は、互い逆方向の高周波磁界を発生するが、互いを打ち消すことなく、鍋２に高周波磁界を供給することができる。同時に、フェライト６の端部とフェライト７の端部に磁束が集中することで、鍋２のフェライト６端部およびフェライト７端部に対向する部分が集中的に加熱されることとなり、従来のように底外加熱コイル４と底内加熱コイル５が同一方向に巻かれているときよりも高温ポイントを増やすことができるので、細かい対流を実現でき、米に熱を効率よく伝達することができる。
【００３５】
また、炊飯器の側面および上面に近い底外加熱コイル４の巻数を底内加熱コイル５の巻き数よりも少なくすることで、人間が磁界の暴露を受けやすい上面側と側面側の漏洩磁界を抑えることができ、人体に安全な炊飯器を提供できる。
【００３６】
また、低周波、すなわち商用電源２１の２倍の周波数における底外加熱コイル４のインダクタンス値と底内加熱コイル５のインダクタンス値を略同じにすることで、図４でも説明したように、商用電源２１の２倍の周波数（日本においては１００Ｈｚ、１２０Ｈｚ）といった低周波の領域では、磁界はその殆どが鍋２の加熱に寄与せず、漏洩磁界となるので、底外加熱コイル４のインダクタンス値と底内加熱コイル５のインダクタンス値を略同じにし、直列接続で加熱コイルに流れる電流も同じにしておけば、二つの加熱コイルから発生する低周波磁界はほぼ同じになり、互いの磁界を打ち消すことになり、低周波漏洩磁界は殆どゼロになる。したがって、人体に安全な炊飯器を提供できる。
【００３７】
以上のように、本実施の形態においては、底外加熱コイル４を底内加熱コイル５より高い位置に配置し、底外加熱コイル４の内周部と底内加熱コイル５の外周部の距離Ａを底外加熱コイル４と鍋２の距離Ｂ、または底内加熱コイル５と鍋２の距離Ｃより離し、底外加熱コイル４と底内加熱コイル５とを直列に接続し、かつ底外加熱コイル４に流れる高周波電流と底内加熱コイル５に流れる高周波電流の流れる方向が逆向きになるように接続したので、底外加熱コイル４と底内加熱コイル５から発生する低周波漏洩磁界が逆向きになっているため、それぞれ互いの低周波漏洩磁界を打ち消し合うことができ、漏洩磁界キャンセル用のコイルを必要としない。また、底外加熱コイル４と底加熱コイル５の高さをずらし、底外加熱コイル４と底内加熱コイル５との距離よりも鍋２と底外加熱コイル４および鍋２と底内加熱コイル５の距離を近づけることで、底外加熱コイル４と底内加熱コイル５の高周波磁界が打ち消しあう前に鍋２に高周波磁界を供給できる。したがって、外形を大きくせず、加熱効率を低くすることなく、低周波漏洩磁界を低減することができる。
【００３８】
また、底外加熱コイル４に放射状に配置した複数のフェライト６と、底内加熱コイル５に放射状に配置した複数のフェライト７とを備え、フェライト６とフェライト７は、その端部が互いに対向するように配置したので、各加熱コイルから発生する高周波磁界が他方の加熱コイルに漏洩するのをフェライト６、７で抑えることができるとともに、フェライト６、７の端部に磁束が集中するので、高温のポイントを増やすことができ、炊飯に必要な対流を細かくすることができる。
【００３９】
また、底外加熱コイル４の巻数は底内加熱コイル５の巻数より少なくしたので、人体に暴露しにくい底内加熱コイル５よりも人体に暴露しやすい底外加熱コイル４からの高周波漏洩磁界を小さくし、かつ低周波の漏洩磁界も抑えることができる。
【００４０】
また、底外加熱コイル４の低周波のインダクタンス値と底内加熱コイル５の低周波のインダクタンス値とを略同じとしたので、漏洩する低周波漏洩磁界を略ゼロにすることができる。
【００４１】
なお、本実施の形態では、底外加熱コイル４は高周波電流ＩＬ１が右回りに流れるように巻かれており、底内加熱コイル５は高周波電流ＩＬ１が左回りに流れるように巻かれているが、まったく逆向きに高周波電流が流れるようにそれぞれの加熱コイルを逆向きに巻いても同じ効果を有するものである。
【００４２】
（実施の形態２）
図６は、本発明の実施の形態２における炊飯器の一部ブロック化した要部回路図を示すものである。
【００４３】
図６に示すように、底インバータ回路２４には底外加熱コイル４と底内加熱コイル５の並列回路が接続され、底インバータ回路２４は底外加熱コイル４に高周波電流ＩＬ２を供給し、底内加熱コイル５に高周波電流ＩＬ３を供給する。
【００４４】
ここで、底外加熱コイル４と底内加熱コイル５は、炊飯器本体１を上部から見たときに巻かれている方向を表示している。すなわち、底外加熱コイル４は、高周波電流ＩＬ２が右回りに流れるように巻かれている。また、底内加熱コイル５には高周波電流ＩＬ３が左回りに流れるように巻かれている。他の構成は上記実施の形態１と同じである。
【００４５】
上記構成において動作、作用を説明する。鍋２を炊飯器本体１の所定の位置にセットし操作キーを操作すると、制御回路２５は予め設定されている炊飯シーケンスに基づいて鍋２の底部分を加熱するように底インバータ回路２４の動作を制御する。底インバータ回路２４は制御回路２５からの信号をうけて底外加熱コイル４に高周波電流ＩＬ２を供給し、底内加熱コイル５に高周波電流ＩＬ３を供給する。
【００４６】
このとき、高周波電流ＩＬ２は底外加熱コイル４を炊飯器本体１の上部から見て右回りに流れ、高周波電流ＩＬ３は底内加熱コイル５を炊飯器本体１の上部から見て左回りに流れる。すなわち、底外加熱コイル４に流れる電流ＩＬ２と底内加熱コイル５に流れる電流ＩＬ３は逆向きに流れることになり、底外加熱コイル４の発生する磁界と底内加熱コイル５の発生する磁界は逆方向になるので、互いに発生する磁界を打ち消しあって炊飯器本体１の外部に漏洩する漏洩磁界を低減する。
【００４７】
同時に、本実施の形態では、底外加熱コイル４と底内加熱コイル５は並列接続することで、高周波電流がＩＬ２とＩＬ３に分かれるので、一つの加熱コイルに流れる電流を減らすことができ、加熱コイルの自己発熱を減少させるので、低損失の炊飯器を実現できる。
【００４８】
以上のように、本実施の形態においては、底外加熱コイル４と底内加熱コイル５を並列に接続し、かつ高周波電流ＩＬ２と高周波電流ＩＬ３を逆向きに流すように巻かれているので、それぞれ互いの低周波漏洩磁界を打ち消しあうことができ、新たな漏洩磁界キャンセル用のコイルを必要としない。また、底外加熱コイル４と底内加熱コイル５を並列接続することで、各加熱コイルに流れる電流を抑えることができ、加熱コイルの損失を低くすることができる。したがって、外形を大きくせず、加熱効率を高め、低周波漏洩磁界を低減することができる。
【００４９】
なお、本実施の形態では、底外加熱コイル４は高周波電流ＩＬ２が右回りに流れるように巻かれており、底内加熱コイル５は高周波電流ＩＬ３が左回りに流れるように巻かれているが、まったく逆向きに高周波電流が流れるようにそれぞれの加熱コイルを逆向きに巻いても同じ効果を有するものである。
【００５０】
（実施の形態３）
図７は本発明の実施の形態３における炊飯器の加熱コイルと磁性体群の配置関係を示すものである。なお、図７は炊飯器下部から加熱コイルを見上げた状態を示している。
【００５１】
図７に示すように、４つのフェライト７１は第一の磁性体群を構成して底外加熱コイル４に放射状に配置し、４つのフェライト７２は第二の磁性体群を構成して底内加熱コイル５に放射状に配置し、これらフェライト７１の端部とフェライト７２の端部は互いに対向しないように配置している。他の構成は上記実施の形態１または２と同じである。
【００５２】
上記構成において動作を説明する。フェライト７１を底外加熱コイル４に放射状に配置し、フェライト７２を底内加熱コイル５に放射状に配置し、これらフェライト７１の端部とフェライト７２の端部は互いに対向しないように配置することで、それぞれの加熱コイルの漏洩磁界を抑えて、もう一方の加熱コイルからの磁界を打ち消さないようにするとともに、フェライト端部という最も磁束が集中する部分を少ないフェライト数で形成することができ、細かい対流を多く作り出すので効率的に米に熱を伝達することができる。
【００５３】
以上のように、本実施の形態においては、フェライト７１とフェライト７２は、その端部が対向しないように配置したので、各加熱コイルから発生する高周波磁界が他方の加熱コイルに漏洩するのを磁性体で抑えることができるとともに、フェライト７１、７２の端部に磁束が集中するので、高温となるポイントを増やすことができ、炊飯に必要な対流を細かくすることができる。
【産業上の利用可能性】
【００５４】
以上のように、本発明にかかる炊飯器は、底外加熱コイルと底内加熱コイルがそれぞれ互いの低周波漏洩磁界を打ち消しあうので、新たな漏洩磁界キャンセル用のコイルを必要とせず、外形を大きくすることなく、また、鍋外周部と鍋内周部の加熱効率を下げずに、低周波漏洩磁界を低減することができるので、鍋を誘導加熱により加熱する炊飯器として有用である。
【図面の簡単な説明】
【００５５】
【図１】本発明の実施の形態１における炊飯器の断面図
【図２】同炊飯器の一部ブロック化した要部回路図
【図３】同炊飯器の主要部の動作波形図
【図４】同炊飯器の加熱コイル上に鍋を置いたときのインダクタンス値と抵抗値の周波数特性図
【図５】同炊飯器の底加熱コイルと磁性体群の配置関係図
【図６】本発明の実施の形態２における炊飯器の一部ブロック化した要部回路図
【図７】本発明の実施の形態３における炊飯器の底加熱コイルと磁性体群の配置関係図
【符号の説明】
【００５６】
１  炊飯器本体
２  鍋
４  底外加熱コイル
５  底内加熱コイル
２４  底インバータ回路（インバータ回路）
【図１】
2007289306.tif 000003
【図２】
2007289306.tif 000004
【図３】
2007289306.tif 000005
【図４】
2007289306.tif 000006
【図５】
2007289306.tif 000007
【図６】
2007289306.tif 000008
【図７】
2007289306.tif 000009